(57)【要約】【課題】  フラワーデザインに使用する花材として、プリザーブドフラワーのスイートピーは販売されておらず、プリザーブドフラワーのスイートピーが求められている。【解決手段】  プリザーブドフラワーのローズの花びらとワイヤーの組合せにより、違う種類のスイートピーの作成を可能とする。【選択図】  図４
2007070778.tif 000002
【特許請求の範囲】
【請求項１】
生花に加工を施し、長い間花姿を保つプリザーブドフラワーのローズの花びらをばらす
第１の工程と、花びら１枚を２つ折りにし半円状にする第２の工程と、新たに１枚の花びらを手に取り、その中に前記第２の工程で折った花びらをはさむ第３の工程と、第３の工程によりできたものの根元にワイヤーを通し、折り曲げねじり下に下ろす
第４工程と、ワイヤーにフローラルテープを巻き付け、茎を作る第５の工程とを有するプリザーブドフラワーのスイートピーの作り方。
【請求項２】
生花に加工を施し、長い間花姿を保つプリザーブドフラワーのローズの花びらをばらす
第１の工程と、花びら１枚を２つ折りにし半円状にする第２の工程と、２枚の花びらを手に取り、その間に前記第２の工程で折った花びらをはさむ第３の工程と、第３の工程によりできたものの根元にワイヤーを通し、折り曲げねじり下に下ろす第４の工程と、ワイヤーにグリーンのフローラルテープを巻き付け、茎を作る第５の工程とを有するプリザーブドフラワーのスイートピーの作り方。
【請求項３】
生花に加工を施し、長い間花姿を保つプリザーブドフラワーのローズの花びらをばらす
第１の工程と、２枚の花びらを重ねて、根元にひだを作る第２の工程と、前記第２の工程でひだを作った花びらの中心にワイヤーを添える第３の工程と、根元を押さえながら、上のワイヤーをおろして根元で２回巻く第４の工程と、ワイヤーにグリーンのフローラルテープを巻き付け、茎を作る第５の工程とを有するプリザーブドフラワーのスイートピーの作り方。
【発明の詳細な説明】
【技術分野】
【０００１】  本発明は、生花に加工を施し長い間花姿を保つプリザーブドフラワーに関するものである。
【背景技術】
【０００２】  現在、市場にはプリザーブドフラワーのスイートピーは提案されていない。
【発明が解決しようとする課題】
【０００３】フラワーデザインに使用できる花材としては、現在、プリザーブドフラワーのスイートピーは提案されておらず、フラワーデザインに使用したくても使用できなかった。
【０００４】本発明は、プリザーブドフラワーのローズの花びらとワイヤーとグルーガンとフローラルテープを使い、茎を作ることよって、違う種類の花スイートピーを作り、フラワーデザインに使うことを目的とするものである。
【課題を解決するための手段】
【０００５】上記目的を達成するための本発明は、プリザーブドフラワーのローズの花びらとワイヤーの組合せにより、違う種類の花スイートピーを作るものであり、
請求項の文章、
（１）生花に加工を施し、長い間花姿を保つプリザーブドフラワーのローズの花びらをばらす第１の工程と、花びら１枚を２つ折りにし半円状にする第２の工程と、新たに１枚の花びらを手に取り、その中に前記第２の工程で折った花びらをはさむ第３の工程と、第３の工程によりできたものの根元にワイヤーを通し、折り曲げねじり下に下ろす第４工程と、ワイヤーにフローラルテープを巻き付け、茎を作る第５の工程とを有するものであり、
（２）生花に加工を施し、長い間花姿を保つプリザーブドフラワーのローズの花びらをばらす第１の工程と、花びら１枚を２つ折りにし半円状にする第２の工程と、２枚の花びらを手に取り、その間に前記第２の工程で折った花びらをはさむ第３の工程と、第３の工程によりできたものの根元にワイヤーを通し、折り曲げねじり下に下ろす第４の工程と、ワイヤーにグリーンのフローラルテープを巻き付け、茎を作る第５の工程とを有するものであり、
（３）生花に加工を施し、長い間花姿を保つプリザーブドフラワーのローズの花びらをばらす第１の工程と、２枚の花びらを重ねて、根元にひだを作る第２の工程と、前記第２の工程でひだを作った花びらの中心にワイヤーを添える第３の工程と、根元を押さえながら、上のワイヤーをおろして根元で２回巻く第４の工程と、ワイヤーにグリーンのフローラルテープを巻き付け、茎を作る第５の工程とを有するものよりなるものである。
【発明の効果】
【０００６】（１）市場に販売されていないプリザーブドフラワーのスイートピーを提供することができる。
（２）フラワーデザインの花材として利用することができる。
（３）手法、技法によるフラワーデザインの提案を可能とする。
前記（１）（２）３により、誰でもが短時間のうちに制作することができる。
【発明を実施するための最良の形態】
【０００７】以下、本発明の実施の形態である工程を図に基づいて説明する。
【実施例１】（１）生花に加工を施し、長い間花姿を保つプリザーブドフラワーのローズの花びらをばらす。
（２）図１に示すように、グルーガンを使い１枚の花びらの根元を内側に折り曲げ、ひだをよせながら、グルーを着け、縦に２つ折りにし半円状にする。
１は半円状にした花びらを示している。
（３）図２に示すように、新たに１枚の花びら２を手に取り、その中に（２）で折った花びら１を少し下の位置にずらしてはさむ。
（４）図３に示すように前述の根元にワイヤー（白色、２８番）３を通し、折り曲げねじり、下に下ろす。
（５）図４に示すようにワイヤー３にフローラルテープ４を巻き付け、茎を作る。
【実施例２】
【０００８】（１）生花に加工を施し、長い間花姿を保つプリザーブドフラワーのローズの花びらをばらす。
（２）図１に示すように、グルーガンを使い１枚の花びらの根元を内側に折り曲げ、ひだをよせながら、グルーを着け、縦に２つ折りにし半円状にする。
（３）２枚の花びらを手に取り、図５に示すように、その間に前述で折った花びら１をはさむ。
（４）図３に示すように根元にワイヤー（白色、２８番）３を通し折り曲げねじりに下ろす。
（５）図４に示すようにワイヤー３にグリーンのフローラルテープ４を巻き付け、茎を作る。
【実施例３】
【０００９】（１）生花に加工を施し、長い間花姿を保つプリザーブドフラワーのローズの花びらをばらす。
（２）図６に示すように、２枚の花びら２、２を重ねて、植生を活かすように根元にひだ５を作る。
（３）図７にように、ひだ５を作った花びら２の中心にワイヤー（白色、２８番）３を添える。
（４）図８に示すように、根元を押さえながら、上のワイヤー３をおろして根元で２回巻き、下ろす。
（５）図４に示すように、ワイヤー３にグリーンのフローラルテープ４を巻き付け、茎を作る。
【図面の簡単な説明】
【図１】実施例１、２において、花びらを２つ折りにした状態を示す説明図である。
【図２】実施例１において、花びらを覆うように重ね合わせた状態を示す説明図である。
【図３】実施例１、２、３において、ワイヤーを通し、茎を作った状態示す説明図である。
【図４】実施例１、２、３において、ワイヤーにフローラルテープを巻きつけた状態を示す説明図である。
【図５】実施例２において、花びらを重ね合わせた状態の断面図である。
【図６】実施例３において、２枚の花びらを重ねて、根元にひだを作る状態を示す説明図である。
【図７】実施例３において、ワイヤーを添えた状態を示す説明図である。
【図８】実施例３において、ワイヤーをおろして根元で２回巻き、下ろす状態を示す説明図である。
【図符号の説明】
１  半円状に折った花びら
２  ばらした花びら
３  ワイヤー
４  フローラルテープ
５  ひだ
【図１】
2007070778.tif 000003
【図２】
2007070778.tif 000004
【図３】
2007070778.tif 000005
【図４】
2007070778.tif 000006
【図５】
2007070778.tif 000007
【図６】
2007070778.tif 000008
【図７】
2007070778.tif 000009
【図８】
2007070778.tif 000010